(57)【要約】【課題】表示装置に表示する画像の解像度が低下するのを抑制することが可能な端末装置を提供する。【解決手段】この情報端末１（端末装置）は、表示部１２と、外部の表示装置２に画像を表示させるための画像信号を送信する制御を行う制御部１１とを備える。そして、制御部１１は、外部の表示装置２の姿勢情報を取得するとともに、取得した姿勢情報に基づいて、外部の表示装置２の姿勢に応じた画像の画像信号を外部の表示装置２に送信する制御を行うように構成されている。【選択図】図１
2013254044.tif 000002
【特許請求の範囲】
【請求項１】
端末表示部と、
外部の表示装置に画像を表示させるための画像信号を送信する制御を行う制御部とを備え、
前記制御部は、前記外部の表示装置の姿勢情報を取得するとともに、取得した前記姿勢情報に基づいて、前記外部の表示装置の姿勢に応じた画像の画像信号を前記外部の表示装置に送信する制御を行うように構成されている、端末装置。
【請求項２】
前記制御部は、前記外部の表示装置の回転姿勢に合わせて回転させた画像の画像信号を前記外部の表示装置に送信する制御を行うように構成されている、請求項１に記載の端末装置。
【請求項３】
姿勢を検出する端末姿勢検出部をさらに備え、
前記制御部は、前記端末姿勢検出部の検出結果と、取得した前記外部の表示装置の姿勢情報とに基づいて、前記端末装置の姿勢および前記外部の表示装置の姿勢に応じた画像の画像信号を前記外部の表示装置に送信する制御を行うように構成されている、請求項１または２に記載の端末装置。
【請求項４】
前記外部の表示装置に画像信号が送信可能であるとともに、前記外部の表示装置から前記姿勢情報を含むデータ信号が受信可能な通信部をさらに備える、請求項１〜３のいずれか１項に記載の端末装置。
【請求項５】
前記通信部は、前記姿勢情報を含むデータ信号および前記画像信号をＭＨＬ（Ｍｏｂｉｌｅ  Ｈｉｇｈ−ｄｅｆｉｎｉｔｉｏｎ  Ｌｉｎｋ）規格の信号により送受信可能に構成されている、請求項４に記載の端末装置。
【請求項６】
表示部を含み、姿勢を変更可能な表示装置本体部と、
外部の端末装置が前記表示装置本体部の姿勢に応じた画像の画像信号を送信するための前記表示装置本体部の姿勢情報を前記外部の端末装置に通知する通知部とを備える、表示装置。
【請求項７】
端末装置と、
表示装置とを備え、
前記表示装置は、表示部を有し、姿勢を変更可能な表示装置本体部と、前記表示装置本体部の姿勢情報を前記端末装置に通知する通知部とを含み、
前記端末装置は、端末表示部と、前記表示装置から通知されて取得した前記表示装置本体部の姿勢情報に基づいて、前記表示装置本体部の姿勢に応じた画像の画像信号を前記表示装置に送信する制御を行う制御部とを含む、表示システム。
【発明の詳細な説明】
【技術分野】
【０００１】
この発明は、端末装置、表示装置および表示システムに関し、特に、表示部を備えた端末装置、表示装置および表示システムに関する。
【背景技術】
【０００２】
従来、表示部を備えた端末装置が知られている（たとえば、特許文献１参照）。
【０００３】
上記特許文献１には、ディスプレイ部（端末表示部）を備えたマルチメディア通信端末（端末装置）が開示されている。このマルチメディア通信端末は、ディスプレイ部が姿勢を変更可能に構成されており、ディスプレイ部の姿勢の変更に応じた画像の画像信号を外部の表示装置に送信するように構成されている。また、マルチメディア通信端末は、マルチメディア通信端末自体のディスプレイ部の姿勢の変更に連動して外部の表示装置の姿勢を変更するように構成されている。
【先行技術文献】
【特許文献】
【０００４】
【特許文献１】特開平６−１８７１２０号公報
【発明の概要】
【発明が解決しようとする課題】
【０００５】
しかしながら、上記特許文献１のマルチメディア通信端末（端末装置）では、マルチメディア通信端末自体のディスプレイ部（端末表示部）の姿勢の変更に応じた画像の画像信号を外部の表示装置に送信するとともに、マルチメディア通信端末自体のディスプレイ部の姿勢の変更に連動して外部の表示装置の姿勢を変更する構成であるので、外部の表示装置の姿勢を直接変更した場合には、マルチメディア通信端末自体のディスプレイ部の姿勢に応じた画像の縦横比が外部の表示装置の姿勢に適さない場合があると考えられる。この場合には、外部の表示装置が、受信した画像信号を外部の表示装置の姿勢に適する画像の縦横比に調整する必要があるので、画像を調整した分、表示装置に表示する画像の解像度が低下してしまうという問題点がある。
【０００６】
この発明は、上記のような課題を解決するためになされたものであり、この発明の１つの目的は、表示装置に表示する画像の解像度が低下するのを抑制することが可能な端末装置、表示装置および表示システムを提供することである。
【課題を解決するための手段】
【０００７】
この発明の第１の局面による端末装置は、端末表示部と、外部の表示装置に画像を表示させるための画像信号を送信する制御を行う制御部とを備え、制御部は、外部の表示装置の姿勢情報を取得するとともに、取得した姿勢情報に基づいて、外部の表示装置の姿勢に応じた画像の画像信号を外部の表示装置に送信する制御を行うように構成されている。
【０００８】
この発明の第１の局面による端末装置では、上記のように、外部の表示装置の姿勢情報を取得するとともに、取得した姿勢情報に基づいて、外部の表示装置の姿勢に応じた画像の画像信号を外部の表示装置に送信する制御を行う制御部を設けることによって、外部の表示装置の姿勢に適した画像の画像信号が外部の表示装置に送信されるので、表示する画像の縦横比の調整を適切に行うことができる。これにより、表示装置に表示する画像の解像度が低下するのを抑制することができる。
【０００９】
上記第１の局面による端末装置において、好ましくは、制御部は、外部の表示装置の回転姿勢に合わせて回転させた画像の画像信号を外部の表示装置に送信する制御を行うように構成されている。このように構成すれば、外部の表示装置の回転により表示の縦横比が変更された場合に、表示の縦横比の変更に合わせた画像の画像信号が外部の表示装置に送信されるので、表示する画像の縦横比の調整を適切に行って、表示装置に表示する画像の解像度が低下するのを容易に抑制することができる。
【００１０】
上記第１の局面による端末装置において、好ましくは、姿勢を検出する端末姿勢検出部をさらに備え、制御部は、端末姿勢検出部の検出結果と、取得した外部の表示装置の姿勢情報とに基づいて、端末装置の姿勢および外部の表示装置の姿勢に応じた画像の画像信号を外部の表示装置に送信する制御を行うように構成されている。このように構成すれば、端末装置の姿勢および外部の表示装置の姿勢の両方に応じた画像の画像信号が外部の表示装置に送信されるので、表示装置に表示する画像の解像度が低下するのを抑制しつつ、端末装置の姿勢に応じた画像を外部の表示装置に表示することができる。
【００１１】
上記第１の局面による端末装置において、好ましくは、外部の表示装置に画像信号が送信可能であるとともに、外部の表示装置から姿勢情報を含むデータ信号が受信可能な通信部をさらに備える。このように構成すれば、通信部を用いて外部の表示装置から姿勢情報を取得して容易に外部の表示装置の姿勢に適した画像の画像信号を外部の表示装置に送信することができる。
【００１２】
この場合、好ましくは、通信部は、姿勢情報を含むデータ信号および画像信号をＭＨＬ（Ｍｏｂｉｌｅ  Ｈｉｇｈ−ｄｅｆｉｎｉｔｉｏｎ  Ｌｉｎｋ）規格の信号により送受信可能に構成されている。このように構成すれば、音声データ、映像データおよび制御信号を伝送可能なＭＨＬ規格の信号により容易に外部の表示装置から姿勢情報を取得できるとともに、容易に外部の表示装置の姿勢に適した画像の画像信号を外部の表示装置に送信することができる。
【００１３】
この発明の第２の局面による表示装置は、表示部を含み、姿勢を変更可能な表示装置本体部と、外部の端末装置が表示装置本体部の姿勢に応じた画像の画像信号を送信するための表示装置本体部の姿勢情報を外部の端末装置に通知する通知部とを備える。
【００１４】
この発明の第２の局面による表示装置では、上記のように、外部の端末装置が表示装置本体部の姿勢に応じた画像の画像信号を送信するための表示装置本体部の姿勢情報を外部の端末装置に通知する通知部を設けることによって、表示装置本体部の姿勢に適した画像の画像信号を外部の端末装置から送信させることができるので、表示する画像の縦横比の調整を適切に行うことができる。これにより、表示装置に表示する画像の解像度が低下するのを抑制することが可能な表示装置を提供することができる。
【００１５】
この発明の第３の局面による表示システムは、端末装置と、表示装置とを備え、表示装置は、表示部を有し、姿勢を変更可能な表示装置本体部と、表示装置本体部の姿勢情報を端末装置に通知する通知部とを含み、端末装置は、端末表示部と、表示装置から通知されて取得した表示装置本体部の姿勢情報に基づいて、表示装置本体部の姿勢に応じた画像の画像信号を表示装置に送信する制御を行う制御部とを含む。
【００１６】
この発明の第３の局面による表示システムでは、上記のように、表示装置から通知されて取得した表示装置本体部の姿勢情報に基づいて、表示装置本体部の姿勢に応じた画像の画像信号を表示装置に送信する制御を行う制御部を設けることによって、表示装置本体部の姿勢に適した画像の画像信号が端末装置から表示装置に送信されるので、表示する画像の縦横比の調整を適切に行うことができる。これにより、表示装置に表示する画像の解像度が低下するのを抑制することが可能な表示システムを提供することができる。
【発明の効果】
【００１７】
本発明によれば、上記のように、表示装置に表示する画像の解像度が低下するのを抑制することができる。
【図面の簡単な説明】
【００１８】
【図１】本発明の一実施形態による表示システムの概略を示した全体図である。
【図２】本発明の一実施形態による情報端末を示したブロック図である。
【図３】本発明の一実施形態による表示装置を示したブロック図である。
【図４】本発明の一実施形態による情報端末の制御部および表示装置の制御部による画像表示処理を説明するためのフローチャートである。
【図５】本発明の一実施形態による情報端末を縦長姿勢にして表示装置を横長姿勢にした場合を説明するための図である。
【図６】本発明の一実施形態による情報端末を縦長姿勢にして表示装置を縦長姿勢にした場合を説明するための図である。
【図７】本発明の一実施形態による情報端末を横長姿勢にして表示装置を横長姿勢にした場合を説明するための図である。
【図８】本発明の一実施形態による情報端末を横長姿勢にして表示装置を縦長姿勢にした場合を説明するための図である。
【図９】本発明の一実施形態の比較例による情報端末を縦長姿勢にして表示装置を縦長姿勢にした場合を説明するための図である。
【発明を実施するための形態】
【００１９】
以下、本発明の実施形態を図面に基づいて説明する。
【００２０】
まず、図１〜図３を参照して、本発明の一実施形態による表示システム１００の構成について説明する。
【００２１】
表示システム１００は、図１に示すように、情報端末１と、表示装置２とを備えている。情報端末１および表示装置２は、音声データ、映像データおよび制御信号を伝送可能なＭＨＬ（Ｍｏｂｉｌｅ  Ｈｉｇｈ−ｄｅｆｉｎｉｔｉｏｎ  Ｌｉｎｋ）規格に対応するケーブル３により接続されている。これにより、情報端末１から出力される画像を表示装置２に表示することが可能である。なお、情報端末１は、本発明の「端末装置」の一例である。
【００２２】
情報端末１は、図２に示すように、制御部１１と、表示部１２と、加速度センサ１３と、通信部１４と、操作部１５とを備える。また、情報端末１は、各種アプリケーションを動作させての利用、電話通信による通話、または、インターネットに接続して情報を視聴するなどのために用いられるように構成されている。なお、表示部１２は、本発明の「端末表示部」の一例であり、加速度センサ１３は、本発明の「端末姿勢検出部」の一例である。
【００２３】
表示装置２は、図１に示すように、表示装置本体部２０ａと、表示装置本体部２０ａを支えるスタンド２０ｂとを備える。また、表示装置２は、図３に示すように、制御部２１と、表示部２２と、姿勢検出部２３と、通信部２４とを備える。また、表示装置２は、通信部２４を介して外部から入力される画像を表示部２２に表示させるように構成されている。また、表示装置本体部２０ａは、スタンド２０ｂに対して９０度回動することが可能なように取り付けられている。つまり、表示装置２の表示装置本体部２０ａは、表示部２２が横長になる状態の姿勢（図１、図５および図７参照）と、表示部２２が縦長になる状態の姿勢（図６および図８参照）との間で回動可能にスタンド２０ｂに取り付けられている。なお、制御部２１は、本発明の「通知部」の一例であり、表示部２２は、本発明の「表示部」の一例である。
【００２４】
情報端末１の制御部１１（図２参照）は、情報端末１の各部を制御するように構成されている。具体的には、制御部１１は、表示部１２に画像を表示させる制御を行うように構成されている。また、制御部１１は、加速度センサ１３により、情報端末１の姿勢および移動の有無を検出するように構成されている。また、制御部１１は、通信部１４を制御して、外部の表示装置２に画像を表示させるための画像信号を送信するように構成されている。また、制御部１１は、操作部１５によりユーザからの操作を受付けるように構成されている。
【００２５】
ここで、本実施形態では、情報端末１の制御部１１は、表示装置２から送信される表示装置２（表示装置本体部２０ａ）の姿勢情報を含むデータ信号を受信部１４を介して受信して、表示装置２の姿勢情報を取得するように構成されている。具体的には、制御部１１は、１６：９の画面アスペクト比を有する表示装置２の表示部２２が横長になる状態の姿勢または縦長になる状態の姿勢についての情報を取得するように構成されている。また、制御部１１は、ＭＨＬ規格の制御信号の伝送により通信部１４を介して表示装置２（表示装置本体部２０ａ）の姿勢情報を取得するように構成されている。また、制御部１１は、表示装置２の表示部２２の画面の大きさを示す画面解像度を通信部１４を介して取得するように構成されている。
【００２６】
また、本実施形態では、情報端末１の制御部１１は、取得した表示装置２（表示装置本体部２０ａ）の姿勢情報に基づいて、表示装置２の姿勢に応じた画像の画像信号を表示装置２に送信する制御を行うように構成されている。具体的には、制御部１１は、加速度センサ１３により検出した情報端末１の姿勢と、通信部１４により取得した表示装置２（表示装置本体部２０ａ）の姿勢とに応じた画像の画像信号を表示装置２に送信する制御を行うように構成されている。
【００２７】
たとえば、図５に示す例のように、情報端末１が縦長に立てた姿勢であり、表示装置２（表示装置本体部２０ａ）の表示部２２が横長になる状態の姿勢である場合において、情報端末１の制御部１１は、情報端末１の姿勢に対応した縦長の画像１２１の左右に調整画像１２２を合成して縦横比（画面アスペクト比）を調整して、表示装置２の表示部２２の大きさ（画面解像度）に対応した横長の画像の画像信号を送信するように構成されている。つまり、情報端末１の制御部１１は、送信画像の短手方向が表示の上下方向になる画像の画像信号を表示装置２に送信する。
【００２８】
また、図６に示す例のように、情報端末１が縦長に立てた姿勢であり、表示装置２（表示装置本体部２０ａ）の表示部２２が縦長になる状態の姿勢である場合において、情報端末１の制御部１１は、情報端末１の姿勢に対応した縦長の画像１２１が表示装置２側で９０度回転されるのに対応させて、画像１２１を９０度回転させた画像の画像信号を表示装置２に送信するように構成されている。つまり、情報端末１の制御部１１は、送信画像の長手方向が表示の上下方向になる画像の画像信号を表示装置２に送信するように構成されている。
【００２９】
また、図７に示す例のように、情報端末１が横長の姿勢であり、表示装置２（表示装置本体部２０ａ）の表示部２２が横長になる状態の姿勢である場合において、情報端末１の制御部１１は、情報端末１の姿勢に対応した横長の画像１２３の画像信号を送信するように構成されている。つまり、情報端末１の制御部１１は、送信画像の短手方向が表示の上下方向になる画像の画像信号を表示装置２に送信する。
【００３０】
また、図８に示す例のように、情報端末１が横長の姿勢であり、表示装置２（表示装置本体部２０ａ）の表示部２２が縦長になる状態の姿勢である場合において、情報端末１の制御部１１は、情報端末１の姿勢に対応した横長の画像１２３の上下に調整画像１２４を合成して縦横比（画面アスペクト比）を調整した上で、表示装置２の姿勢に合わせて９０度回転させた画像の画像信号を表示装置２に送信するように構成されている。つまり、情報端末１の制御部１１は、送信画像の長手方向が表示の上下方向になる画像の画像信号を表示装置２に送信するように構成されている。
【００３１】
情報端末１の表示部１２は、画像を表示可能に構成されている。また、表示部１２には、操作部１５としてのタッチバネル１５ａが一体的に設けられている。また、表示部１２は、液晶パネルおよびバックライトを含む。また、表示部１２は、情報端末１の操作部１５としてのタッチパネル１５ａによる操作のための画像を表示可能に構成されている。また、表示部１２は、長手方向に１２８０ピクセル、短手方向に７２０ピクセルの画素数を有している。加速度センサ１３は、情報端末１に作用する加速度を検知するように構成されている。つまり、加速度センサ１３は、情報端末１が縦長の状態の姿勢または横長の状態の姿勢のいずれかの姿勢であるかを検出するように構成されている。
【００３２】
情報端末１の通信部１４は、ＭＨＬ規格に対応するケーブル３が接続可能に構成されている。また、通信部１４は、表示装置２（表示装置本体部２０ａ）の姿勢情報を含むデータ信号をＭＨＬ規格の信号により受信可能に構成されている。また、通信部１４は、画像信号をＭＨＬ規格の信号により表示装置２に送信可能に構成されている。つまり、通信部１４は、ケーブル３を介して外部の表示装置２に音声データ、映像データおよび制御信号を送信可能に構成されている。また、通信部１４は、外部の表示装置２から制御信号を受信可能に構成されている。操作部１５は、図１に示すように、タッチパネル１５ａと、操作ボタン１５ｂとを含む。操作部１５は、ユーザからの操作を受付けるように構成されている。
【００３３】
表示装置２の制御部２１（図３参照）は、表示装置２の各部を制御するように構成されている。具体的には、制御部２１は、表示部２２に画像を表示させる制御を行うように構成されている。また、制御部２１は、姿勢検出部２３により、表示装置２（表示装置本体部２０ａ）の姿勢を検出するように構成されている。また、制御部２１は、通信部２４を制御して、表示装置２（表示装置本体部２０ａ）の姿勢情報を通知する信号を送信するように構成されている。
【００３４】
ここで、本実施形態では、表示装置２の制御部２１は、情報端末１が表示装置２（表示装置本体部２０ａ）の姿勢に応じた画像の画像信号を送信するための表示装置２（表示装置本体部２０ａ）の姿勢情報を情報端末１に通知する制御を行うように構成されている。具体的には、制御部２１は、姿勢検出部２３の検出結果に基づいて、表示装置２（表示装置本体部２０ａ）の表示部２２が横長になる状態の姿勢（図５参照）または縦長になる状態の姿勢（図６参照）についての情報を情報端末１に通知するように構成されている。また、制御部２１は、ＭＨＬ規格の制御信号の伝送により通信部２４を介して表示装置２（表示装置本体部２０ａ）の姿勢情報を情報端末１に通知するように構成されている。また、制御部２１は、表示装置２の表示部２２の画面の大きさを示す画面解像度を通信部２４を介して情報端末１に通知するように構成されている。
【００３５】
表示装置２の表示部２２は、画像を表示可能に構成されている。また、表示部２２は、液晶パネルおよびバックライトを含む。また、表示部２２は、長手方向に１９２０ピクセル、短手方向に１０８０ピクセルの画素数を有している。姿勢検出部２３は、表示装置２（表示装置本体部２０ａ）の姿勢を検出するように構成されている。つまり、姿勢検出部２３は、表示装置２（表示装置本体部２０ａ）が縦長の状態の姿勢または横長の状態の姿勢のいずれかの姿勢であるかを検出するように構成されている。また、姿勢検出部２３は、表示装置本体部２０ａが、スタンド２０ｂに対して回動したことを検出する回動検出スイッチを含む。
【００３６】
表示装置２の通信部２４は、ＭＨＬ規格に対応するケーブル３が接続可能に構成されている。また、通信部２４は、ケーブル３を介して外部の情報端末１から音声データ、映像データおよび制御信号を受信可能に構成されている。また、通信部２４は、外部の情報端末１に制御信号を送信可能に構成されている。
【００３７】
次に、図４を参照して、情報端末１の制御部１１および表示装置２の制御部２１が行う画像表示処理について説明する。この処理は、情報端末１の画像を表示装置２で表示させている場合に継続的に実行されている。
【００３８】
ステップＳ１において、表示装置２の制御部２１は、表示装置２（表示装置本体部２０ａ）の姿勢の変更を姿勢検出部２３により検出したか否かを判断する。表示装置２（表示装置本体部２０ａ）の姿勢の変更を検出しなければ、表示装置２の制御部２１は、表示装置２（表示装置本体部２０ａ）の姿勢の変更を検出するまでこの判断を繰り返す。表示装置２（表示装置本体部２０ａ）の姿勢の変更を検出すれば、表示装置２の制御部２１は、ステップＳ２において、表示装置２（表示装置本体部２０ａ）の姿勢情報を情報端末１に送信する。つまり、表示装置２の制御部２１は、表示装置２が縦長（横長）の状態の姿勢から横長（縦長）の状態の姿勢に変更した場合に、変更した横長（縦長）の状態の姿勢情報を情報端末１に送信する。
【００３９】
表示装置２の制御部２１の制御に並行して、ステップＳ１１において、情報端末１の制御部１１は、表示装置２（表示装置本体部２０ａ）の姿勢情報を表示装置２から受信したか否かを判断する。表示装置２（表示装置本体部２０ａ）の姿勢情報を受信しなければ、情報端末１の制御部１１は、表示装置２（表示装置本体部２０ａ）の姿勢情報を受信するまでこの判断を繰り返す。表示装置２（表示装置本体部２０ａ）の姿勢情報を受信すれば、情報端末１の制御部１１は、ステップＳ１２において送信する画像を変更する。具体的には、情報端末１の制御部１１は、表示装置２（表示装置本体部２０ａ）の姿勢に合わせて画像を回転させて、または、調整画像を合成して、表示装置２に送信する画像を変更する。情報端末１の制御部１１は、ステップＳ１３において、変更した画像の画像信号を表示装置２に送信して、その後、画像表示処理を終了する。
【００４０】
情報端末１の制御部１１の制御に並行して、ステップＳ３において、表示装置２の制御部２１は、変更された画像信号を受信したか否かを判断する。画像信号を受信しなければ、表示装置２の制御部２１は、画像信号を受信するまでこの判断を繰り返す。画像信号を受信したら、表示装置２の制御部２１は、ステップＳ４において、受信した画像信号に基づく画像を表示部２２に表示して、その後、画像表示処理を終了する。
【００４１】
本実施形態では、上記のように、表示装置２の姿勢情報を取得するとともに、取得した姿勢情報に基づいて、表示装置２の姿勢に応じた画像の画像信号を表示装置２に送信する制御を行う制御部１１を情報端末１に設けることによって、表示装置２の姿勢に適した画像の画像信号が表示装置２に送信されるので、表示する画像の縦横比の調整を適切に行うことができる。これにより、表示装置２に表示する画像の解像度が低下するのを抑制することができる。一方、図９に示す比較例のように、情報端末が、情報端末の姿勢および表示装置の画面の大きさ（画面解像度）のみに基づいて、縦長の画像１２１の左右に調整画像１２２を合成して横長の画像の画像信号を送信する場合において、表示装置を縦長の状態の姿勢にした場合、表示装置の方でさらに調整画像１２５が追加されて表示される。この場合、表示される有効な画像が必要以上に小さくなってしまう。このため、表示装置に表示する画像の解像度が低下してしまう。
【００４２】
また、本実施形態では、上記のように、情報端末１の制御部１１を、表示装置２の回転姿勢に合わせて回転させた画像の画像信号を表示装置２に送信する制御を行うように構成することによって、表示装置２の回転により表示の縦横比が変更された場合に、表示の縦横比の変更に合わせた画像の画像信号が表示装置２に送信されるので、表示する画像の縦横比の調整を適切に行って、表示装置２に表示する画像の解像度が低下するのを容易に抑制することができる。
【００４３】
また、本実施形態では、上記のように、情報端末１の制御部１１を、加速度センサ１３の検出結果と、取得した表示装置２の姿勢情報とに基づいて、情報端末１の姿勢および表示装置２の姿勢に応じた画像の画像信号を表示装置２に送信する制御を行うように構成することによって、情報端末１の姿勢および表示装置２の姿勢の両方に応じた画像の画像信号が表示装置２に送信されるので、表示装置２に表示する画像の解像度が低下するのを抑制しつつ、情報端末１の姿勢に応じた画像を表示装置２に表示することができる。
【００４４】
また、本実施形態では、上記のように、表示装置２に画像信号が送信可能であるとともに、表示装置２から姿勢情報を含むデータ信号が受信可能な通信部１４を情報端末１に設けることによって、通信部１４を用いて表示装置２から姿勢情報を取得して容易に表示装置２の姿勢に適した画像の画像信号を表示装置２に送信することができる。
【００４５】
また、本実施形態では、上記のように、通信部１４を、表示装置２（表示装置本体部２０ａ）の姿勢情報を含むデータ信号および画像信号をＭＨＬ規格の信号により送受信可能に構成することによって、音声データ、映像データおよび制御信号を伝送可能なＭＨＬ規格の信号により容易に外部の表示装置２から姿勢情報を取得できるとともに、容易に外部の表示装置２（表示装置本体部２０ａ）の姿勢に適した画像の画像信号を外部の表示装置２に送信することができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、表示装置本体部がスタンドに対して回動可能に取り付けられている構成の例を示したが、本発明はこれに限られない。本発明では、表示装置（表示装置本体部）の姿勢変更が可能な構成であれば、表示装置本体部がスタンドに取り付けられていなくてもよい。
【００４８】
また、上記実施形態では、情報端末（端末装置）と、表示装置とをＭＨＬ規格に対応するケーブルにより接続する構成の例を示したが、本発明はこれに限られない。本発明では、端末装置と、表示装置とをＨＤＭＩ（Ｈｉｇｈ−Ｄｉｆｉｎｉｔｉｏｎ  ｍｕｌｔｉｍｅｄｉａ  ｉｎｔｅｒｆａｃｅ）規格などのＭＨＬ規格以外の規格に対応するケーブルにより接続してもよい。また、端末装置と、表示装置とをケーブルを用いずに無線により接続してもよい。
【００４９】
また、上記実施形態では、説明の便宜上、制御部の処理動作を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【００５０】
また、上記実施形態では、情報端末（端末装置）が、表示装置の姿勢に応じた画像の画像信号を送信する構成の例を示したが、本発明はこれに限られない。本発明では、表示装置が、端末装置から送信された画像信号と、表示装置の姿勢情報とに基づいて、表示する画像を調整する構成であってもよい。たとえば、表示装置が、表示装置の回転姿勢に基づいて、端末装置から送信された画像を回転させて表示する構成であってもよい。
【符号の説明】
【００５１】
１  情報端末（端末装置）
２  表示装置
１１  制御部
１２  表示部（端末表示部）
１３  加速度センサ（端末姿勢検出部）
１４  通信部
２０ａ  表示装置本体部
２１  制御部（通知部）
２２  表示部
１００  表示システム
【図１】
2013254044.tif 000003
【図２】
2013254044.tif 000004
【図３】
2013254044.tif 000005
【図４】
2013254044.tif 000006
【図５】
2013254044.tif 000007
【図６】
2013254044.tif 000008
【図７】
2013254044.tif 000009
【図８】
2013254044.tif 000010
【図９】
2013254044.tif 000011